【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
乗物の乗客を受け入れるように構成され、かつ位置センサを含む乗物移動体と、
前記乗物の乗客によって装着されるように構成され、カメラ及びディスプレイを含む電子ゴーグルと、
前記電子ゴーグル及び前記乗物移動体の前記位置センサに通信可能に接続されたコンピュータグラフィックス生成システムと、を含む乗物システムであって、
前記コンピュータグラフィックス生成システムは、
少なくとも前記乗物移動体の前記位置センサからのデータを用いて前記乗物の乗客の視点を決定し、
前記電子ゴーグルの前記カメラによってキャプチャされた画像データ及び前記乗物の乗客の視点に少なくとも基づいて現実世界環境のストリーミングメディアを生成し、
前記現実世界環境の前記ストリーミングメディア上に重ね合わされる１又は複数の仮想拡張を生成し、
前記電子ゴーグルの前記ディスプレイ上に表示されることになる、前記１又は複数の重ね合わされる仮想拡張と共に前記現実世界環境の前記ストリーミングメディアを送信するように構成される、
乗物システム。
【請求項２】
前記電子ゴーグルの前記ディスプレイは、第１のディスプレイ及び第２のディスプレイを含み、該第１のディスプレイは、前記乗物の乗客の第１の目に対して前記ストリーミングメディアを表示するように構成され、該第２のディスプレイは、前記乗物の乗客の第２の目に対して前記ストリーミングメディアを表示するように構成される、請求項１に記載の乗物システム。
【請求項３】
前記第１のディスプレイ及び前記第２のディスプレイの各々は、不透明な液晶ディスプレイ（ＬＣＤ）又は不透明な有機発光ダイオード（ＯＬＥＤ）ディスプレイを含む、請求項２に記載の乗物システム。
【請求項４】
前記電子ゴーグルは、付加的なカメラを備え、前記カメラは、前記乗物の乗客の第１の目に対応する第１の視点をキャプチャするように構成され、該付加的なカメラは、前記乗物の乗客の第２の目に対応する第２の視点をキャプチャするように構成される、請求項１に記載の乗物システム。
【請求項５】
前記コンピュータグラフィックス生成システムは、乗車サイクル中に、前記少なくとも１つの乗物移動体が所定の場所まで移動する場合、所定の距離を移動する場合、所定の時間の経過後、又はこれらのいずれかの組合せで、前記１又は複数の仮想拡張を生成するように構成される、請求項１に記載の乗物システム。
【請求項６】
トラックを含むジェットコースターを備え、前記コンピュータグラフィックス生成システムは、前記少なくとも１つの乗物移動体が該トラックに沿って前記所定の場所まで移動する場合、該トラックに沿って前記所定の距離を移動する場合、前記所定の時間の経過後、又はこれらのいずれかの組合せで、前記１又は複数の仮想拡張を生成するように構成される、請求項５に記載の乗物システム。
【請求項７】
前記コンピュータグラフィックス生成システムは、前記電子ゴーグルの方向、前記乗物の乗客の位置、及び前記乗物の乗客の視点に基づいて、前記現実世界環境の前記ストリーミングメディアを生成するように構成される、請求項１に記載の乗物システム。
【請求項８】
前記電子ゴーグルの前記方向を検出するように構成された前記電子ゴーグル内に位置決めセンサを備える、請求項７に記載の乗物システム。
【請求項９】
前記電子ゴーグルの前記方向を判断するために、前記電子ゴーグルの物理的属性をモニタするように構成されたモニタリングシステムを備える、請求項７に記載の乗物システム。
【請求項１０】
前記少なくとも１つの乗物移動体内の前記乗物の乗客の前記位置を検出するように構成されたセンサを備える、請求項７に記載の乗物システム。
【請求項１１】
前記コンピュータグラフィックス生成システムは、毎秒約３０フレーム（ＦＰＳ）以上のレートで、前記現実世界環境の前記ストリーミングメディア及び前記１又は複数の重ね合わされる仮想拡張を前記ディスプレイにレンダリングするように構成される、請求項１に記載の乗物システム。
【請求項１２】
前記コンピュータグラフィックス生成システムは、
前記現実世界環境に関連するライティング、コントラスト、明るさ、又はこれらの組合せの指標を受信して、
前記現実世界環境の前記ライティング、前記コントラスト、前記明るさ、又は前記これらの組合せを反映するように調整された、前記現実世界環境の前記ストリーミングメディア及び前記１又は複数の重ね合わされる仮想拡張を生成するように構成される、請求項１に記載の乗物システム。
【請求項１３】
前記ディスプレイは、第１のディスプレイ及び第２のディスプレイを含み、前記コンピュータグラフィックス生成システムは、
前記電子ゴーグルの前記カメラ及び付加的なカメラによってそれぞれキャプチャされる前記乗物の乗客の第１の視点及び第２の視点の指標を受信して、
前記第１の視点及び前記第２の視点に少なくとも部分的に基づいて、前記現実世界環境の前記ストリーミングメディア及び前記１又は複数の重ね合わされる仮想拡張を生成して、
前記ストリーミングメディアを、前記第１のディスプレイ及び前記第２のディスプレイの各々にそれぞれレンダリングするように構成され、
前記第１のディスプレイ上にレンダリングされる前記ストリーミングメディアは、前記第１の視点に対応し、前記第２のディスプレイ上にレンダリングされる前記ストリーミングメディアは前記第２の視点に対応する、請求項１に記載の乗物システム。
【請求項１４】
遊園地の乗物のサイクル中に電子ゴーグルからリアルタイムビデオデータストリーム及び該遊園地の乗物の乗物移動体の位置センサからのデータを受信する段階を含む、コンピュータグラフィックス生成システムを介してリアルタイムデータを受信する段階と、
少なくとも前記位置センサからのデータに基づいて乗物の乗客の視点を決定する段階と、
前記受信したリアルタイムビデオデータストリーム及び前記乗物の乗客の視点に少なくとも基づいて遊園地の現実世界環境の仮想化を生成する段階と、
拡張現実（ＡＲ）画像又は仮想現実（ＶＲ）画像を前記現実世界環境の前記仮想化の上にオーバーレイ表示する段階と、
前記遊園地の乗物の前記サイクル中に、前記オーバーレイ表示されたＡＲ画像又は前記オーバーレイ表示されたＶＲ画像を、前記現実世界環境の前記仮想化と共に前記電子ゴーグルに送信する段階と、を含む方法。
【請求項１５】
前記リアルタイムデータを受信する段階は、前記遊園地の乗物の前記乗物の乗客の位置、該乗物の乗客の方向、又はこれらの組合せに関連するデータを受信する段階を含む、請求項１４に記載の方法。
【請求項１６】
前記遊園地の乗物の前記乗物の乗客の位置、該乗物の乗客の方向、該乗物の乗客の視点、前記遊園地の乗物の前記乗物移動体の場所、前記電子ゴーグルの方向、所定の期間、前記リアルタイムビデオデータストリーム内の１又は複数の特徴の認識、又はこれらのいずれかの組合せに少なくとも部分的に基づいて、前記オーバーレイ表示されたＡＲ画像又は前記オーバーレイ表示されたＶＲ画像を前記現実世界環境の前記仮想化と共に送信する段階を含む、請求項１４に記載の方法。
【請求項１７】
電子ゴーグルの処理回路を介してリアルタイム画像データを受信する段階であって、テーマパークの乗物のサイクル中に該電子ゴーグルの１又は複数のカメラを介してキャプチャされたリアルタイムビデオデータストリームを受信する段階を含む、リアルタイム画像データを受信する段階と、
乗物の乗客のいる乗物移動体上に位置する位置センサからのデータに基づいて該乗物の乗客の視点を決定する段階と、
前記受信されたリアルタイム画像データ及び前記決定された視点に基づいて前記テーマパークの乗物の現実世界環境の仮想化を生成する段階と、
拡張現実（ＡＲ）画像又は仮想現実（ＶＲ）画像を前記現実世界環境の前記仮想化の上にオーバーレイ表示する段階と、
前記テーマパークの乗物の前記サイクル中に、前記現実世界環境の前記仮想化と共に前記オーバーレイ表示されたＡＲ画像又は前記オーバーレイ表示されたＶＲ画像を前記電子ゴーグルのディスプレイを介して表示する段階と、を含む方法。
【請求項１８】
前記電子ゴーグルの位置、前記電子ゴーグルの方向、前記テーマパークの前記乗物の乗客の前記決定された視点、前記テーマパークの前記乗物移動体の場所、所定の期間、前記リアルタイムビデオデータストリーム内の１又は複数の特徴の認識、ユーザが構成可能な設定、又はこれらのいずれかの組合せに少なくとも部分的に基づいて、前記現実世界環境の前記仮想化と共に前記オーバーレイ表示されたＡＲ画像又は前記オーバーレイ表示されたＶＲ画像を表示する段階を含む、請求項１７に記載の方法。